(57)【要約】【課題】ウィンドウ部材の縁部に形成される印刷層を用いて多様な視覚的効果を実現できる携帯用端末機のウィンドウ部材及びその製造方法を提供する。【解決手段】本発明の携帯用端末機ウィンドウ部材は、ガラス部材と、ガラス部材に形成される半透明印刷層と、半透明印刷層上に形成される金属層とを有し、半透明印刷層は、金属層に接する面に凹凸を含む。【選択図】  図２
2014092788.tif 000002
【特許請求の範囲】
【請求項１】
携帯用端末機のウィンドウ部材であって、
ガラス部材と、
前記ガラス部材上に形成される半透明印刷層と、
前記半透明印刷層上に形成される金属層と、を有し、
前記半透明印刷層は、前記金属層に接する面に凹凸を含むことを特徴とするウィンドウ部材。
【請求項２】
前記半透明印刷層は、透明塗料と調色塗料を混合して前記ガラス部材の一面に印刷及び硬化させて形成されることを特徴とする請求項１に記載のウィンドウ部材。
【請求項３】
前記半透明印刷層は添加剤をさらに含むことを特徴とする請求項２に記載のウィンドウ部材。
【請求項４】
前記金属層は、二酸化チタン（ＴｉＯ２）、二酸化ケイ素（ＳｉＯ２）、酸化アルミニウム（Ａｌ２Ｏ３）のうちのいずれか一つを蒸着して形成されることを特徴とする請求項１に記載のウィンドウ部材。
【請求項５】
前記金属層上に形成されるカラー層をさらに含み、
前記カラー層は、無彩色又は有彩色塗料で印刷して形成されることを特徴とする請求項１に記載のウィンドウ部材。
【請求項６】
前記金属層上に形成される遮蔽層をさらに含み、
前記遮蔽層は、黒色又は灰色塗料で印刷して形成されることを特徴とする請求項１に記載のウィンドウ部材。
【請求項７】
前記金属層と遮蔽層との間に形成されるカラー層をさらに含み、
前記カラー層は無彩色又は有彩色塗料を印刷して形成されることを特徴とする請求項６に記載のウィンドウ部材。
【請求項８】
前記半透明印刷層は、明度又は彩度がそれぞれ異なる複数の印刷層を具備することを特徴とする請求項１に記載のウィンドウ部材。
【請求項９】
前記金属層上に形成される遮蔽層をさらに含み、
前記遮蔽層は、黒色又は灰色塗料で印刷して形成されることを特徴とする請求項８に記載のウィンドウ部材。
【請求項１０】
前記金属層と遮蔽層との間に形成される複数のカラー層をさらに含み、
前記カラー層は、明度又は彩度がそれぞれ異なる半透明カラー層であることを特徴とする請求項９に記載のウィンドウ部材。
【請求項１１】
携帯用端末機のウィンドウ部材製造方法であって、
ガラス部材を加工するステップと、
ガラス部材の表面に半透明印刷層を形成するステップと、を有し、
前記半透明印刷層は、透明塗料と調色塗料を混合して前記ガラス部材の一面に印刷及び硬化させることにより形成されることを特徴とするウィンドウ部材の製造方法。
【請求項１２】
前記半透明印刷層を形成するステップは、前記透明塗料と調色塗料に添加剤をさらに混合して前記ガラス部材の一面に印刷及び硬化させるステップをさらに有することを特徴とする請求項１１に記載のウィンドウ部材の製造方法。
【請求項１３】
前記半透明印刷層を形成するステップは、明度又は彩度がそれぞれ異なる複数の印刷層を形成するステップであることを特徴とする請求項１１に記載のウィンドウ部材の製造方法。
【請求項１４】
前記半透明印刷層の表面に金属又は金属酸化物を蒸着して金属層を形成するステップをさらに有することを特徴とする請求項１１に記載のウィンドウ部材の製造方法。
【請求項１５】
携帯用端末機のウィンドウ部材であって、
ガラス部材と、
前記ガラス部材上に形成される半透明印刷層と、
前記半透明印刷層上に形成される金属層と、
を含むことを特徴とするウィンドウ部材。
【発明の詳細な説明】
【技術分野】
【０００１】
本発明は、携帯用端末機に係り、より詳しくは、携帯用端末機の表示装置上に付着されるウィンドウ部材及びその製造方法に関する。
【背景技術】
【０００２】
一般的に、移動通信端末機又は携帯用マルチメディア機器のような携帯用端末機は、ディスプレイモジュールと、ディスプレイモジュール上に装着される透明なウィンドウ部材を備えることによって、ディスプレイモジュールを用いて具現される画像を透過させつつ、ディスプレイモジュールを保護する。最近のディスプレイモジュールは、タッチスクリーン機能が統合されて携帯用端末機の入力装置機能も有する。
【０００３】
ウィンドウ部材の大部分の領域は画像を透過させるために透明であることが望ましいが、一般的に、両面テープのような接着部材は、ウィンドウ部材を携帯用端末機のハウジングに装着するために少なくとも複数のウィンドウ部材の縁に沿って配置される。このようなウィンドウ部材の縁を直接支持するハウジングの一部分又は接着部材は、透明なウィンドウ部材を通じて外部に露出する。このようなハウジングの内部構造物又は接着部材は、ウィンドウ部材の縁を印刷層で覆うことで隠すことができる。
【０００４】
本明細書の説明において、他の層又は部材“上に（ｏｎ）”形成又は配置されるという記載は、完成されたウィンドウ部材の断面図から見て、関連する層の“上面に”形成又は配置されると解釈される。但し、ウィンドウ部材の配置状態に従って、上記“上に（ｏｎ）”は“下面に”として解釈されることもある。
【０００５】
図１は、従来の携帯用端末機のウィンドウ部材１０を示す断面図であって、特に、ウィンドウ部材１０の縁部を拡大して示す。
【０００６】
ウィンドウ部材１０は、ガラス部材、望ましくは強化ガラスを加工して製造されたガラス部材１１と、ガラス部材１１の縁部に印刷された印刷層を含む。印刷層は、上述したように、接着部材などを隠すためのものであって、有色塗料で形成されたカラー層１７を含む。黒色又は灰色系列の遮蔽層１９は、カラー層１７の表面上に形成される。遮蔽層１９は、実質的にウィンドウ部材１０と携帯用端末機のハウジングとの間に介在する接着部材などを隠し、カラー層１７は、ウィンドウ部材１０の外観上の装飾的効果を与える。
【０００７】
一方、カラー層１７だけでは光沢効果を達成できないため、金属酸化物層１５が、ウィンドウ部材１０上に形成される。金属酸化物層１５は、二酸化チタン（ＴｉＯ２）、二酸化ケイ素（ＳｉＯ２）、酸化アルミニウム（Ａｌ２Ｏ３）などの金属酸化物を蒸着してガラス部材１１とカラー層１７との間に形成される。
【０００８】
最近、携帯用端末機の利用が普遍化されるに従って、携帯用端末機のデザインに対するユーザーの嗜好が徐々に多様化している。したがって、携帯用端末機の外観に多様なカラー又は視覚的効果を与えるための努力が続けられている。しかしながら、ウィンドウ部材は、縁部に印刷層が形成されるにもかかわらず、カラーの変更以外には視覚的効果を与えるのに限界がある。その結果、金属酸化物層を用いてウィンドウ部材の縁部に光沢効果を強化する程度の視覚効果しか実現できないという問題点があった。
【先行技術文献】
【特許文献】
【０００９】
【特許文献１】特開２００６−０８８６８１号公報
【発明の概要】
【発明が解決しようとする課題】
【００１０】
本発明は、上記従来の問題点に鑑みてなされたものであって、本発明の目的は、ウィンドウ部材の縁部に形成される印刷層を用いて多様な視覚的効果を具現する携帯用端末機のウィンドウ部材及びその製造方法を提供することにある。
【００１１】
また、本発明の目的は、携帯用端末機の外観デザインを多様化するウィンドウ部材及びその製造方法を提供することにある。
【課題を解決するための手段】
【００１２】
上記目的を達成するためになされた本発明の一態様による携帯用端末機のウィンドウ部材は、ガラス部材と、ガラス部材上に形成される半透明印刷層と、半透明印刷層上に形成される金属層と、を有し、前記半透明印刷層は、前記金属層に接する面に凹凸を含むことを特徴とする。
【００１３】
上記目的を達成するためになされた本発明の一態様による携帯用端末機のウィンドウ部材の製造方法は、ガラス部材を加工するステップと、ガラス部材の表面に半透明印刷層を形成するステップと、を有し、前記半透明印刷層は、透明塗料と調色塗料を混合して前記ガラス部材の一面に印刷及び硬化させることにより形成されることを特徴とする。
【発明の効果】
【００１４】
本発明のウィンドウ部材によれば、入射する外部光が半透明印刷層を透過する過程、及び金属層で反射された光が半透明印刷層を透過する過程でセラミック質感を提供できる。また、半透明印刷層の形成において、多様なカラーを、調色塗料や添加剤を添加して具現できる。硬化させた半透明印刷層の表面を加工して凹凸を形成する場合、パターンを刻印することもできるので、多様な装飾効果を、ウィンドウ部材上に提供することができる。さらに、半透明印刷層の形成において、明度又は彩度を異にする複数の印刷層を形成する場合、グラデーション効果を有することができ、多様な視覚的効果を実現することができる。したがって、本発明による携帯用端末機は、ウィンドウ部材を多様な外観デザインで形成することができる。
本発明による特徴、及び利点は、図面を参照しながら述べる以下の詳細な説明から、一層明らかになるはずである。
【図面の簡単な説明】
【００１５】
【図１】従来の携帯用端末機のウィンドウ部材を示す断面図である。
【図２】（Ａ）は、本発明の一実施形態による携帯用端末機を示す概略平面図であり、（Ｂ）は、（Ａ）のラインＢ−Ｂ’に沿ったウィンドウ部材を示す部分断面図である。
【図３】図２（Ｂ）に示したウィンドウ部材の製造方法を示すフローチャートである。
【図４】図２（Ｂ）に示したウィンドウ部材の他の実施形態を示す断面図である。
【図５】図２（Ｂ）に示したウィンドウ部材のさらに他の実施形態を示す断面図である。
【発明を実施するための形態】
【００１６】
以下、本発明を実施するための形態の具体例を、図面を参照しながら詳細に説明する。
【００１７】
図面において、同一の構成要素に対してはできるだけ同一の参照符号及び参照番号を付して説明する。下記の説明で、本発明に関連する公知の機能又は構成に関する具体的な説明が本発明の要旨を不明にすると判断された場合は、その詳細な説明を省略する。
【００１８】
図２（Ａ）は、本発明の一実施形態による携帯用端末機１００を示す概略平面図である。図２（Ａ）に示すように、携帯用端末機１００は、中央部２０ａを有するウィンドウ部材２０を含む。中央部２０ａは、ディスプレイモジュールの画像表示領域に対応するように設定され、出力された画像を透過させる。ウィンドウ部材２０の縁部２０ｂは、ウィンドウ部材２０を携帯用端末機１００のハウジングに付着させる接着部材に対応するように設定され、接着部材を隠すと同時に外観をきれいにする層を含む。例えば、凹凸２４は、縁部２０ｂにロゴ（ｌｏｇｏ）形状を有し、外部から見えるように形成される。
【００１９】
図２（Ｂ）は、図２（Ａ）のラインＢ−Ｂ’に沿ったウィンドウ部材２０を示す部分断面面である。図２（Ｂ）に示すように、携帯用端末機のウィンドウ部材２０は、ガラス部材２１の一面上に半透明印刷層２３を形成する。金属層２５（例えば、金属層又は金属酸化物層）、カラー層２７、遮蔽層２９は、半透明印刷層２３上に順次に配置される。実施形態によって、カラー層２７は必須でなく、金属層２５と遮蔽層２９が接するように形成され得る。金属層２５は、入射する外部光を反射することにより、半透明印刷層２３による視覚効果を向上させる。
【００２０】
ウィンドウ部材２０の縁部２０ｂに形成された半透明印刷層２３は、セラミック質感（セラミック視覚効果）、すなわち、セラミック材質と類似した質感の外観を具現できる。このような視覚的効果は、ウィンドウ部材２０上に入射する外部光が、半透明印刷層２３、金属層２５、カラー層２７により部分的に反射された光によって具現される。すなわち、ウィンドウ部材２０に入射する光は、部分的に半透明印刷層２３、金属層２５、カラー層２７により吸収又は反射されることで、セラミック質感を具現できる。
【００２１】
凹凸２４は、半透明印刷層２３の表面、すなわち金属層２５側の半透明印刷層２３の面に形成される。凹凸２４は、セラミック質感と共に格子形状を用いるパターン効果を具現できる。例えば、図２（Ａ）で、凹凸２４は、ジグザグ（ｚｉｇｚａｇ）形態で反復されたパターン形状が示されており、凹凸の形状は、多様な変形だけでなく、ロゴや文字からなるパターンである。
【００２２】
ガラス部材２１は、ディスプレイモジュールから出力される画像を透過しなければならないので、透過率がほぼ１００％に近いことが望ましい。このようなガラス部材２１は、高い透過率と十分な表面硬度を有する強化ガラスで製造される。ガラス材質の特性上、落下などによる外部衝撃に弱いという短所を補完するために、ガラス部材２１の表面に保護フィルムを付着するか、あるいはコーティング処理を遂行することができる。また、携帯用端末機のハウジングとウィンドウ部材の結合構造などを用いて衝撃を分散し、ガラス材質の脆弱性を補完することもできる。
【００２３】
ガラス部材２１の材質は、透明合成樹脂、例えばアクリル樹脂で製造できるが、透過率又は表面硬度が低いので、マルチメディア機能が強化されている携帯用端末機には適合しにくい。
【００２４】
ガラス部材２１は、両面テープのような接着部材により携帯用端末機のハウジングに装着及び固定される。このとき、カラー層２７、遮蔽層２９は、ガラス部材２１とハウジングとの間の接着部材を隠すことになる。半透明印刷層２３は、カラー層２７、金属層２５、遮蔽層２９とともにセラミック質感を提供する。他の実施形態で、カラー層２７又は遮蔽層２９は省略可能である。
【００２５】
半透明印刷層２３は、透明塗料と調色塗料を混合してガラス部材２１の一面、望ましくは内側面（ディスプレイモジュール側）の縁に印刷及び硬化させることにより形成される。このとき、半透明印刷層２３を形成するための塗料混合物は、真珠（ｐｅａｒｌ）粒子、顔料粒子などの添加剤をさらに含有できる。このような塗料混合物の印刷において、シルクスクリーン印刷、デジタル印刷（ｄｉｒｅｃｔ  ｄｉｇｉｔａｌ  ｐｒｉｎｔｉｎｇ）、又はパッド印刷方法を使用することができる。
【００２６】
また、凹凸２４は、湿式又は乾式エッチング方法により半透明印刷層２３の表面に形成される。湿式エッチングは、フォトレジストなどを用いる現像及びエッチング工程を用いて遂行される。乾式エッチングは、プラズマを用いて行われる。このような表面加工により半透明印刷層２３の表面に凹凸２４を形成し、凹凸２４の配列によって特定のパターンを形成することができる。但し、デジタル印刷方法の場合、印刷過程で半透明印刷層２３の表面に凹凸を形成することも可能である。半透明印刷層２３をデジタル印刷方法で形成する場合、表面加工は、凹凸２４を形成するために必ずしも必要ではない。
【００２７】
一方、表面加工により凹凸２４を形成しなくても、半透明印刷層２３を形成する塗料の添加剤により、カラー、ヘイズ（ｈａｚｅ）効果、及び半透明印刷層２３の表面粗度を変化させて視覚的な凹凸効果を得ることもできる。すなわち、半透明印刷層２３は、透明塗料と調色塗料の混合だけでなく、添加物及び消光性などを活用して半透明印刷層２３それ自体でも多様な視覚効果を得ることができる。
【００２８】
金属層２５は、半透明印刷層２３の表面に金属又は金属酸化物を蒸着して形成される。半透明印刷層２３は、プライマとしての機能を提供し、これを通じて金属又は金属酸化物の蒸着の親和力を向上させ得る。金属層２５は、例えば、二酸化チタン（ＴｉＯ２）、二酸化ケイ素（ＳｉＯ２）、及び酸化アルミニウム（Ａｌ２Ｏ３）のうちのいずれか一つを半透明印刷層２３の表面に蒸着することにより形成される。上述したように、金属層２５は、ウィンドウ部材２０上に入射する外部光を反射することで、光沢効果を強化する。
【００２９】
カラー層２７と遮蔽層２９のうちの少なくとも一つが金属層２５上に形成される。カラー層２７は、無彩色又は有彩色塗料で金属層２５の表面に印刷及び硬化させて形成される。また、遮蔽層２９は、黒色又は灰色系列の塗料を金属層２５の表面又はカラー層の表面に印刷及び硬化させて形成される。カラー層２７は、ウィンドウ部材の縁部分で鮮明なカラーを提供できる。但し、ウィンドウ部材２０が装着される端末機のデザインに応じて、カラー層２７を必ずしも形成する必要はない。すなわち、半透明印刷層２３のカラーだけでも端末機のデザインに適合する場合、遮蔽層２９は、金属層２５の表面に直接形成される。
【００３０】
遮蔽層２９は、ウィンドウ部材２０の縁部で光が透過することを完全に遮断する。すなわち、半透明印刷層２３又は金属層２５は、ある程度の透過率を有するため、接着部材を隠すための用途を十分に満足しない。したがって、黒色又は灰色系列の塗料を用いて金属層２５上に遮蔽層２９を形成することによって、ウィンドウ部材２０の内側の接着部材は、完全に覆われるようになる。
【００３１】
このように、半透明印刷層２３を形成したウィンドウ部材２０は、入射する外部光が、半透明印刷層２３により一部反射される光、さらに金属層２５により反射される光によってセラミック質感を具現できる。また、半透明印刷層２３の表面に凹凸２４を形成することによって、多様な視覚的効果を、ウィンドウ部材２０の縁部で具現することができる。
【００３２】
図３は、本発明の一実施形態による携帯用端末機のウィンドウ部材製造方法を示すフローチャートである。本実施形態による製造方法では、ガラス部材２１を加工した（ステップＳ１）後に、ガラス部材２１の一面に半透明印刷層２３を形成する。以下、図２（Ａ）及び図２（Ｂ）を参照しながら詳細に説明する。
【００３３】
上述したように、半透明印刷層２３は、透明塗料と調色塗料を混合してガラス部材２１の一面に印刷及び硬化させて形成される（ステップＳ２）。半透明印刷層２３を形成するための塗料混合物は、顔料粒子などの添加剤をさらに含むことができる。半透明印刷層２３は、シルクスクリーン印刷、デジタル印刷、及びパッド印刷の方法で塗料混合物をガラス部材２１の一面に印刷した後に、これを硬化させて形成される。
【００３４】
一実施形態として、凹凸２４が、半透明印刷層２３の表面を加工して形成される（ステップＳ２−１）。すなわち、凹凸２４を形成するステップ（Ｓ２−１）は、湿式又は乾式エッチング方法により行われ、一般的にはプラズマエッチングのような乾式エッチング工程で遂行される。凹凸２４は、一定の図形や図案を連続して配列したパターン、文字などを用いたシンボル、通信社／製造社のロゴ等などを表すことができる。また、メニューキー又は通話開始／終了キーのように頻繁に使用するホットキーがウィンドウ部材２０上の固定した位置に配置される場合、このようなホットキーの位置と機能を指示する文字や図案を、凹凸２４を用いて形成できる。この場合、ガラス部材２１の内部又は下部には、凹凸２４に対応する領域にタッチスクリーン素子、例えば酸化インジウムスズ（ＩＴＯ）フィルムが提供される。
【００３５】
一方、半透明印刷層２３の表面を加工して凹凸２４を形成するステップＳ２−１は、省略可能である。すなわち、ウィンドウ部材２０が装着される携帯用端末機の外観デザインに応じてステップＳ２−１が選択的に遂行される。また、半透明印刷層２３の形成において、デジタル印刷方法を使用する場合、半透明印刷層２３に含まれる添加剤により、半透明印刷層２３を形成すると同時に凹凸２４を形成可能であるため、凹凸２４を形成するための別途の表面加工ステップＳ２−１は省略できる。
【００３６】
金属層２５、例えば金属層又は金属酸化物層は、半透明印刷層２３の表面に金属又は金属酸化物を蒸着して形成される（ステップＳ３）。半透明印刷層２３をプライマ材質で形成すると、金属層２５の蒸着における蒸着親和力を高めることができる。金属層２５は、二酸化チタン（ＴｉＯ２）、二酸化ケイ素（ＳｉＯ２）、及び酸化アルミニウム（Ａｌ２Ｏ３）のうちのいずれか一つを用いて形成される。半透明印刷層２３が形成されたガラス部材２１を蒸着チャンバー内に配置して金属又は金属酸化物の蒸着を行う。ガラス部材２１上に金属や金属酸化物を蒸着する際、蒸着親和力を高めるために、プライマが要求される。本実施形態では、半透明印刷層２３がセラミック質感を提供すると同時に、金属又は金属酸化物の蒸着親和力を向上させるためのプライマとして活用できる。
【００３７】
カラー層２７を形成するステップＳ４は、無彩色又は有彩色塗料を金属層２５の表面に印刷及び硬化させる工程である。カラー層２７の形成により、ウィンドウ部材２０の縁部のカラーは一層鮮明になる。また、カラー層２７を形成する無彩色または有彩色塗料のカラーによって多様な色相を具現できる。但し、半透明印刷層２３を通じて具現されたカラーだけでウィンドウ部材２０が装着される携帯用端末機のデザインに適合する場合、カラー層２７を形成するステップＳ５は省略できる。
【００３８】
遮蔽層２９を形成するステップＳ５は、黒色又は灰色系列の塗料を金属層２５の表面上に印刷及び硬化させる工程である。上述したように、カラー層２７は必ず形成されるものではないため、遮蔽層２９は、金属層２５の表面に直接形成することもできる。
このような工程を通じて、ウィンドウ部材の縁部分に印刷層が形成され、接着部材などを隠すことができる。また、ウィンドウ部材に形成された半透明印刷層は、入射する外部光、さらに金属層から反射される光を用いて、また、半透明印刷層により部分的に吸収又は反射する光を用いてセラミック質感を具現することができる。半透明印刷層の表面に凹凸を形成する場合、一層多様なパターンの装飾が具現できる。
【００３９】
図４及び図５は、図２（Ａ）及び図２（Ｂ）に示したウィンドウ部材の変形例を示す。上述した実施形態のウィンドウ部材と比較すると、図４及び図５に示すウィンドウ部材は、複数の層を有する半透明印刷層２３’又はカラー層２７’を含む。したがって、上述した実施形態を通じて容易に理解できる構成に関しては、同一の図面符号を使用するか省略し、その詳細な説明は省略する。
【００４０】
図４に示した他の実施形態において、ウィンドウ部材３０は、ガラス部材２１と金属層２５との間に半透明印刷層２３’を形成する。この半透明印刷層２３’は、複数の印刷層を有する。ウィンドウ部材３０は、金属層２５の表面に直接形成される遮蔽層２９を含む。したがって、ウィンドウ部材３０は、上述した実施形態のカラー層を具備しない構成で提供される。
【００４１】
図４に示すように、ウィンドウ部材３０の半透明印刷層２３’は、複数の印刷層からなり、各印刷層の明度又は彩度が異なる。具体的に、半透明印刷層２３’を含む印刷層が、白色、黒色、又は灰色系列の無彩色である場合、明度はそれぞれ異なる。また、印刷層が有彩色である場合、その彩度は異なる。このような明度又は彩度の調整は、透明インクに組み合わせる調色インクの濃度により調節可能であり、製品のデザインに従って真珠（ｐｅａｒｌ）粒子、顔料粒子などを添加できる。
【００４２】
半透明印刷層２３’は、シルクスクリーン印刷、デジタル印刷、及びパッド印刷などの方法で少なくとも２回以上反復して形成することができる。半透明印刷層２３’の印刷層は、各印刷動作中に異なる塗料を用いて明度又は彩度を変えることができる。
【００４３】
図５に示したさらに他の実施形態においては、ウィンドウ部材４０は、金属層と遮蔽層との間に複数のカラー層を形成する。カラー層２７’は、透明インクと調色インクを組み合わせた塗料を印刷して形成される。なお、ガラス部材２１と金属層２５との間に形成された層を‘半透明印刷層’と称し、金属層２５と遮蔽層２９との間に形成された層を‘カラー層’と称し、これらを区別して説明したが、実際には、カラー層２７’は、半透明印刷層２３’と同一の方式で形成することができる。
【００４４】
半透明印刷層又はカラー層が上述のように異なる明度又は彩度で複数の層を含むため、多様な視覚的効果、例えば、多様な深さが提供される。
【００４５】
半透明印刷層２３’を、複数の印刷層で形成するか、あるいはカラー層２７’を複数層で形成することは、上述した実施形態の半透明印刷層又はカラー層を形成する過程を反復することにより可能である。したがって、図４又は図５に示す半透明印刷層とカラー層の形成工程に関する詳細な説明は省略する。
【００４６】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００４７】
１０、２０、３０、４０    ウィンドウ部材
１１、２１    ガラス部材
１５    金属酸化物層
１７    カラー層
１９、２９    遮蔽層
２０ａ    中央部
２０ｂ    縁部
２３、２３’    半透明印刷層
２４    凹凸
２５    金属層
２７、２７’    カラー層
１００    携帯用端末機
【図１】
2014092788.tif 000003
【図２】
2014092788.tif 000004
【図３】
2014092788.tif 000005
【図４】
2014092788.tif 000006
【図５】
2014092788.tif 000007